(57)【特許請求の範囲】
【請求項１】
かごの出入り口に設けられた右側および左側のドアがそれぞれ前部ドア、中間ドア、後部ドアからなる両開きのエレベーターのドア構造であって、
前記各ドアはそれぞれ左右の両端部が断面略コの字状に形成され、さらにその先端が先端がカギ形に形成され、
前記左側の各ドアの左端部および右側の各ドアの右端部に、カギ形をした係止片がそれぞれ前側に隣接するドアの内側に突出するように取り付けられ、
前記左側の中間ドアと前部ドアの各右端部および右側の中間ドアと前部ドアの各左端部の前記断面略コの字状に形成され、さらにその先端がカギ形に形成された部分に、それぞれ後側に隣接するドアの係止片が係合可能な切欠された受止め部が形成され、
前記左側の中間ドアと前部ドアの左端部および右側の中間ドアと前部ドアの右端部に、それぞれ後側に隣接するドアの係止片が通り抜け可能な通り抜け部が切欠されていることを特徴とするエレベーターのドア構造。
【発明の詳細な説明】
【発明の属する技術分野】
本発明は、閉じた複数のドアが相互に係合するようになっているエレベーターのドア構造に関する。
【従来の技術】
従来、エレベーターのドアとしては、例えば図５に示すような両開き式のものがある。かごの出入り口の左右両側に、それぞれ２枚づつドア１０１，１０２および１０３，１０４が開閉自在に配設されている。かごの上に設けられたドアオペレーターによってドア１０１，１０２および１０３，１０４を開閉させており、ドア１０１，１０２および１０３，１０４は全開時には戸袋１０５および１０６に収納されている。
ここで、このドア１０１，１０２及び１０３，１０４を全開して戸袋１０５および１０６に収納させるときに、左右２枚であったために、戸袋１０５および１０６は大きくなってしまっていた。
そこで、図６に示すように、かごの出入口１１０に左右３枚の幅が狭いドア１１１，１１２，１１３および１１４，１１５，１１６を配設することが考えられる。このように左右３枚のドア１１１，１１２，１１３および１１４，１１５，１１６だと、これらを全開したときには、ドア１１１，１１２，１１３および１１４，１１５，１１６は左右両端側に小さくまとめることができ、したがつて戸袋１１７および１１８は小さくすることができる。
【発明が解決しようとする課題】
しかしながら、このような従来のエレベーターのドアにあっては、このドア１１１，１１２，１１３および１１４，１１５，１１６の幅が狭くしたために、剛性が弱くなり、また軽量となっている。このため、ドア１１１，１１２，１１３および１１４，１１５，１１６が押圧されたりすると、変形してしまったり、また容易にドアレールから押し上げられて外れたりする虞れがあった。
本発明は、幅を狭くしたドアが押圧されても、変形したりせず、また容易にドアレールから押し上げられてしまわないようにすることを目的とする。
【課題を解決するための手段】
このような目的を達成するために、本発明は、かごの出入り口に設けられた右側および左側のドアがそれぞれ前部ドア、中間ドア、後部ドアからなる両開きのエレベーターのドア構造であって、前記各ドアはそれぞれ左右の両端部が断面略コの字状に形成され、さらにその先端がカギ形に形成され、前記左側の各ドアの左端部および右側の各ドアの右端部に、先端がカギ形をした係止片がそれぞれ前側に隣接するドアの内側に突出するように取り付けられ、前記左側の中間ドアと前部ドアの各右端部および右側の中間ドアと前部ドアの各左端部の前記断面略コの字状に形成され、さらにその先端がカギ形に形成された部分に、それぞれ後側に隣接するドアの係止片が係合可能な切欠された受止め部が形成され、前記左側の中間ドアと前部ドアの左端部および右側の中間ドアと前部ドアの右端部に、それぞれ後側に隣接するドアの係止片が通り抜け可能な通り抜け部が切欠されていることを特徴とする。
【発明の実施の形態】
以下、本発明を図面に基づいて説明する。図１ないし図４は本発明に係るエレベーターのドアの一実施例を示す図である。
図１において、符号１，２，３および４，５，６はかごの出入口に配設された両開き式のドアであり、このドア１，２，３および４，５，６は左右両側にそれぞれ後部ドア、中間ドア、前部ドアとして３枚ずつ開閉自在に配設されている。ドア１，２，３および４，５，６は従来の左右２枚づつ配設されているのに比べて、幅が狭く、かつ軽量となっている。ドア１，２，３および４，５，６はそれぞれドアレール（図示せず）に摺動自在に吊持たされ、駆動手段（図示せず）によって開閉される。
ドア１，２，３および４，５，６を駆動手段によって開くと、このドア１，２，３および４，５，６はそれぞれ戸袋７，８に収納される。ドア１，２，３および４，５，６は幅が狭くなっているので、収納されたときには全体としてコンパクトとなり、戸袋７，８は小さくすることができる。
図２および図３に示すように、ドア５は縦に細長い鋼板からなり、このドア５の図中左右両端部５ａ，５ｂは断面略コの字型に形成され、さらにこの先端が断面略Ｌ字状に形成されている。ドア５の上方側部にはハンガーを取り付けるための取付孔６が４個形成され、この下方側部にはドアシュー板２６（図４に示す）を取り付けるための取付孔６が同様に４個形成されている。このため、このドア５を上下逆にしても、この上下に同様にハンガーやドアシュー板２６を取り付けることができる。
ドア５の右端部５ｂには３ケ所に亘って通り抜け部９が切欠され、左端部５ａにも３ケ所に亘って受け止め部１０が切欠されている。また、ドア５の右端部５ｂには４ケ所に亘って係止片１１（図４に示す）を取り付けるための取付孔１２が形成され、このうち３ケ所を使うことになる。なお、受け止め部１０の縦方向の長さは係止片１１の縦方向の長さより僅かに長くなっている（図４参照）。
他のドア１，２，３，４，６も略同様の構成となっている。
図１および図４に示すように、ドア４，５，６の右端部およびドア１，２，３の左端部には、それぞれ先端側がカギ形をした係止片１３，１１，１４および１５，１６，１７（第１係合部）がボルトによって取り付けられ、この係止片１３，１１および１５，１６は隣接するドア５，６および２，３の受け止め部１０，１８および１９，２０（第２係合部）と、係止片１４および１７は隣接するサイドジャム２１および２２の受け止め部２３および２４と係合可能である。
ここで、係止片１３，１１，１４および１５，１６，１７の先端側と受け止め部１０，１８，２３および１９，２０，２４とは共にカギ形をしており、また、受け止め部１０の縦方向の長さは係止片１１の縦方向の長さより僅かしか長くないために、これらが相互に係合した場合（ドア全閉状態のとき）に、乗場側２３から乗客がドア１，２，３および４，５，６のいずれかを真直ぐに押したり、横方向に押したりしても、隣接するドア１，２，３および４，５，６やサイドジャム２１および２２等によって押圧力は分散されて、ドア１，２，３および４，５，６が変形してしまったり、また容易にドアレールから押し上げられて外れたりすることがない。
なお、左側のドア１，２，３は右側のドア４，５，６を左右逆にしただけであり、同様の構造となっている。
ところで、ドア５の右端部には隣接するドア４に取り付けられた係止片１３が通り抜けることができるように、通り抜け部９が切欠されているが、他のドア６および２，３にも通り抜け部が形成されている。このため、ドア１，２，３および４，５，６は戸袋７および８によりコンパクトに収納されることになる。
【発明の効果】
以上説明したように、本発明によれば、第１係合部と第２係合部とが相互に係合可能とし、一つのドアに加えられた押圧力が隣接するドアに分散するようにしたので、このドアが変形してしまったり、また容易にドアレールから押し上げられて外れたりすることがない。
【図面の簡単な説明】
【図１】  本発明に係るエレベーターのドア構造の一実施例を示す横断面図。
【図２】  ドアの横断面図。
【図３】  ドアの背面図。
【図４】  図１中Ａ矢視斜視図。
【図５】  従来のエレベーターのドア構造の横断面図。
【図６】  他のエレベーターのドア構造の横断面図。
【符号の説明】
１，２，３，４，５，６…ドア、  ９…通り抜け部、  １１，１３，１４，１５，１６，１７…係止片、  １０，１８，１９，２０…受け止め部。
【図１】
0004475701.tif 000002
【図２】
0004475701.tif 000003
【図３】
0004475701.tif 000004
【図４】
0004475701.tif 000005
【図５】
0004475701.tif 000006
【図６】
0004475701.tif 000007